(57)【特許請求の範囲】
【請求項１】
略２つのユニットからなり、浴槽側壁に設けられた貫通穴に対して内外両面側からパッキンを介して両ユニットを螺合させて固定し、給湯器或いは風呂釜と接続することにより浴槽への給湯或いは浴槽水の循環加熱を行うことができるようにした浴槽アダプタであって、螺合のために回転させる少なくとも片方のユニットと浴槽側壁面との間に、浴槽側壁面に対してパッキンを配すると共に、該パッキンとユニットとの間には摺動抵抗の小さな滑らし板を配し、該滑らし板とユニットの間は別のパッキンにより気密性を保持してあることを特徴とする浴槽アダプタ。
【発明の詳細な説明】
【０００１】
【発明の属する技術分野】
本発明は浴槽アダプタに関し、詳しくは浴槽の側壁に貫通して取り付けられ、浴槽外からの給湯水を受け入れたり、浴槽水を外部に循環させたりするための接続口となる浴槽アダプタに関する。
【０００２】
【従来の技術】
図４に従来の浴槽アダプタの縦断面図を示す。浴槽アダプタは、浴槽内ユニット１と浴槽外ユニット２とからなり、浴槽側壁Ｗに設けられた貫通穴Ｗ１に対してパッキン３、４を介して両側から螺合して結合するようになされていた。
【０００３】
【発明が解決しようとする課題】
ところが上記従来の浴槽アダプタの場合、浴槽内ユニット１と浴槽外ユニット２とを締め上げる際、ネジ込み回転を行うユニット１又は２側のパッキン３又は４がねじれ、シール不良を起こす原因となっていた。
【０００４】
そこで本発明は上記従来の浴槽アダプタにおける欠点を解消し、浴槽側壁への螺合取り付けの際にパッキンがねじれることなく、確実に締め上げることができ、安定したシール力を発揮することができる浴槽アダプタの提供を課題とする。
【０００５】
【課題を解決するための手段】
上記課題を解決するため、本発明の浴槽アダプタは、略２つのユニットからなり、浴槽側壁に設けられた貫通穴に対して内外両面側からパッキンを介して両ユニットを螺合させて固定し、給湯器或いは風呂釜と接続することにより浴槽への給湯或いは浴槽水の循環加熱を行うことができるようにした浴槽アダプタであって、螺合のために回転させる少なくとも片方のユニットと浴槽側壁面との間に、浴槽側壁面に対してパッキンを配すると共に、該パッキンとユニットとの間には摺動抵抗の小さな滑らし板を配し、該滑らし板とユニットの間は別のパッキンにより気密性を保持してあることを特徴としている。
【０００６】
上記本発明の特徴によれば、少なくとも螺合のために回転させるユニットには、該ユニットとパッキンとの間に滑らし板を配しているので、ユニットを回転させても、回転によるねじれの力がパッキンにまで到達せず、パッキンがねじれたりすることが防止される。よってパッキンと浴槽側壁との間からの水漏れや、またパッキンと滑らし板との間からの水漏れを、安定して防止することができる。滑らし板とユニットとの間の水漏れは別に設けたパッキンで防止される。
以上より、本発明の特徴によれば、浴槽側壁への取り付けの際にパッキンがねじれたりせず、確実に締め上げることができ、安定したシール力を発揮することができる。
【０００７】
【発明の実施の形態】
以下、本発明の実施の形態を図面を参照しながら説明する。
図１は本発明の第１の実施形態に係る浴槽アダプタの縦断面図、図２は第１の実施形態に係る浴槽アダプタの分解斜視図、図３は第２の実施形態に係る浴槽アダプタの縦断面図である。
【０００８】
図１、図２を参照して、先ず第１の実施形態を説明する。
浴槽アダプタは、浴槽内ユニット１０と浴槽外ユニット２０との略２つのユニットからなる。この浴槽内ユニット１０と浴槽外ユニット２０とが、浴槽側壁Ｗに設けられた貫通穴Ｗ１を介して両側から結合されて浴槽アダプタが完成する。
【０００９】
前記浴槽内ユニット１０は、浴槽ボルト１１と、仕切り板セット１２と、フィルターセット１３とからなる。
前記浴槽ボルト１１と仕切り板セット１２とはネジ１４で結合される。またフィルターセット１３は仕切り板セット１２に被せて回転させることにより、仕切り板セット１２の固定溝１５にフィルターセット１３の図示しない内面側への凸部が嵌まり込み固定されるべく構成されている。
一方、前記浴槽外ユニット２０は、二重筒のような形状をしている。
【００１０】
前記浴槽内ユニット１０と浴槽外ユニット２０との結合の仕方について説明する。先ず、浴槽側壁Ｗの貫通穴Ｗ１の外面に外面パッキン４０をフランジ部２０ａに嵌め込んだ浴槽外ユニット２０を当てがい、これに対して貫通穴Ｗ１の内面に内面パッキン３０を当てがい、その上から滑らし板５０を当てがい、更にその上から浴槽ボルト１１のフランジ部１１ａを当てがってねじ込み回転させていく。これによって浴槽ボルト１１の筒状部１１ｂが浴槽外ユニット２０の外筒部２０ｂ内に螺合されて締め付けられていく。この時、滑らし板５０を内面パッキン３０と浴槽ボルト１１との間に介在させることで、浴槽ボルト１１だけが回転し、滑らし板５０と内面パッキン３０とは回転することなく済む。よって内面パッキン３０のねじれが防止された状態で確実に締め上げることができ、安定したシール力を発揮することができる。
【００１１】
固定体である前記滑らし板５０と回転体である浴槽ボルト１１との間の気密性は、浴槽ボルト１１の筒状部１１ｂに取り付けた別のパッキンであるＯリング６０と、滑らし板５０の中心穴の周囲に軸方向に構成した穴フランジ５０ａの部分との周方向の接触により達成している。
前記滑らし板５０は、ステンレス鋼等の金属或いはフッ素樹脂等の低摺動抵抗のプラスチック等からなる浴槽ボルト１１の材質に対して滑りやすい材質のものが選ばれる。
また前記Ｏリング６０はＶリングであってもよい。要するに、滑らし板５０と浴槽ボルト１１との間の気密性を保持できるパッキンであればよい。
前記浴槽ボルト１１と浴槽外ユニット２０との結合が完了した後、仕切り板セット１２のフランジ部１２ａをネジ１４で浴槽ボルト１１に結合し、更にフィルターセット１３を仕切り板セット１２に被せて回転させ、固定することで、浴槽アダプタの浴槽側壁Ｗへの取り付けが完了する。
【００１２】
前記浴槽外ユニット２０に対しては、浴槽水循環のための配管Ｐ１、Ｐ２が接続される。この配管Ｐ１、Ｐ２は給湯器付風呂釜等の熱源機に接続して、浴槽水の循環加熱ができるようになっている。
前記配管Ｐ１の通路は、浴槽外ユニット２０の内筒部２０ｃ内の通路Ｓ１、仕切り板セット１２の筒状部１２ｂ内の通路Ｓ２、仕切り板セット１２に構成された通路Ｓ３、及びフィルターセット１３の側部の開口１３ｃを経て浴槽内に通じている。
また配管Ｐ２の通路は、浴槽ボルト１１の筒状部１１ｂと仕切り板セット１２の筒状部１２ｂとの間の通路Ｓ５から仕切り板セット１２の図示しない通路を通って、仕切り板セット１２の前面の通路Ｓ６に通じ、フィルターセット１３の前面の開口１３ｄを経て浴槽内に通じている。
前記フィルターセット１３は内側のフィルター部１３ａと、外側のケース部１３ｂとが接合された状態に形成されている。
【００１３】
図３に本発明の別の実施形態を示す。この実施形態においては、固定体である滑らし板５０と回転体である浴槽ボルト１１との間の気密性は、浴槽ボルト１１のフランジ部１１ａに取り付けた別のパッキンであるＯリング６０と、滑らし板５０との軸方向の接触により達成している。
その他の構成は上記図１、２に示す既述の実施形態と同じであるので、説明を省略する。図３において、既述のものと同じ機能を果たす部材、部品、要素については、同じ符号を付している。
【００１４】
なお上記の実施形態においては、２本の配管Ｐ１、Ｐ２を接続し、浴槽水を熱源機に往復循環させることによって浴槽水の循環加熱ができるようにした浴槽アダプタを示したが、本発明の浴槽アダプタはこの循環加熱用のものに限定されるものではない。本発明の浴槽アダプタは、給湯器の熱源機からの温水を浴槽内に一方的に供給する場合にも用いることができる。即ち、例えば浴槽を配管を介して給湯器に接続し、浴槽内への高温差し湯を行うようにした風呂設備の場合にも本発明の浴槽アダプタを用いることができる。
要するに本発明において重要なことは、浴槽内ユニット１０と浴槽外ユニット２０との結合において、回転させるユニット側においては、浴槽側壁Ｗとの間にパッキン３０の他に滑らし板５０を設けたという構成である。その一方、浴槽内外の通路構成を２本として循環用とするか、１本として給湯を受けるだけにするかについては、自由に設計することができるのである。
上記において、１本の配管により温水を受けるだけの場合に用いる浴槽アダプタにあっては、図１又は図３に示す構成において、一方の配管Ｐ２が不要となるので、該配管Ｐ２との接続口や通路Ｓ５が構成されない構造とされる。即ち１個の配管Ｐ１が接続され、１本の通路Ｓ１、Ｓ２、Ｓ３が浴槽内に連通する浴槽アダプタの構成となる。勿論、その具体的な１本の通路構成については上記配管Ｐ１から通路Ｓ１、Ｓ２、Ｓ３で示す構成に限るものではない。
【００１５】
【発明の効果】
本発明は以上の構成、作用からなり、請求項１に記載の浴槽アダプタによれば、略２つのユニットからなり、浴槽側壁に設けられた貫通穴に対して内外両面側からパッキンを介して両ユニットを螺合させて固定し、給湯器或いは風呂釜と接続することにより浴槽への給湯或いは浴槽水の循環加熱を行うことができるようにした浴槽アダプタであって、螺合のために回転させる少なくとも片方のユニットと浴槽側壁面との間に、浴槽側壁面に対してパッキンを配すると共に、該パッキンとユニットとの間には摺動抵抗の小さな滑らし板を配し、該滑らし板とユニットの間は別のパッキンにより気密性を保持してあるので、
浴槽側壁への取り付けの際にパッキンがねじれたりせず、確実に締め上げることができ、安定したシール力を発揮することができる。
【図面の簡単な説明】
【図１】本発明の第１の実施形態に係る浴槽アダプタの縦断面図である。
【図２】第１の実施形態に係る浴槽アダプタの分解斜視図である。
【図３】第２の実施形態に係る浴槽アダプタの縦断面図である。
【図４】従来の浴槽アダプタの縦断面図である。
【符号の説明】
Ｗ    浴槽側壁
Ｗ１  貫通穴
Ｐ１  配管
Ｐ２  配管
Ｓ１〜Ｓ３、Ｓ５〜Ｓ６  通路
１０  浴槽内ユニット
１１  浴槽ボルト
１１ａ  フランジ部
１１ｂ  筒状部
１２  仕切り板セット
１３  フィルターセット
２０  浴槽外ユニット
２０ａ  フランジ部
２０ｂ  外筒部
２０ｃ  内筒部
３０  内面パッキン
４０  外面パッキン
５０  滑らし板
６０  Ｏリング
【図１】
0003565120.tif 000002
【図２】
0003565120.tif 000003
【図３】
0003565120.tif 000004
【図４】
0003565120.tif 000005